(57)【要約】【課題】便器で用を足す際の服の着脱を容易にする新たな技術を提供する。【解決手段】身体保持具１６は、便座１４に着座した使用者の胴体を保持するものである。身体保持具１６は、便座１４の後方から前方へ延びるように設けられ、使用者の胴体の側部と当接する一対の面状の保持部１８ａ，１８ｂと、便座１４の上方の所定範囲で保持部１８ａ，１８ｂを支持する支持部２０ａ，２０ｂと、を備える。支持部２０ａ，２０ｂは、保持部１８ａ，１８ｂと便座１４との間の領域で使用者の動きを妨げないように構成されている。【選択図】図１
2015181547.tif 000002
【特許請求の範囲】
【請求項１】
便座に着座した使用者の胴体を保持する身体保持具であって、
使用者の胴体の側部と当接する一対の面状の保持部と、
便座の上方の所定範囲で前記保持部を支持する支持部と、を備え、
前記支持部は、前記保持部と便座との間の領域で使用者の動きを妨げないように構成されていることを特徴とする身体保持具。
【請求項２】
前記一対の面状の保持部の間に使用者の背中を面で保持する背あて部を更に備えることを特徴とする請求項１に記載の身体保持具。
【請求項３】
前記一対の面状の保持部と前記背あて部とを連結する連結部を更に備え、
前記連結部は、可撓部材で構成されていることを特徴とする請求項２に記載の身体保持具。
【請求項４】
便器本体と、
前記便器本体の上に設けられた便座と、
前記便座の上方に配置された請求項１乃至３のいずれか１項に記載の身体保持具と、を備え、
上面視において、前記身体保持具の保持部の使用者と当接する面は、前記便座の幅方向外縁よりも内側に配置されていることを特徴とする身体保持具付きトイレ装置。
【請求項５】
前記身体保持具は、前記保持部の前方側の端部が前記便座の前方側の端部よりも後方側に位置するように配置されていることを特徴とする請求項４に記載の身体保持具付きトイレ装置。
【発明の詳細な説明】
【技術分野】
【０００１】
本発明は、身体保持具に関する。
【背景技術】
【０００２】
従来、トイレ室内で身体に不自由のある人が便器に着座するまでの動作、あるいは着座状態での動作を介助する器具や構造が種々考案されている。例えば、背もたれとアームを備えた携帯用便器が知られている（特許文献１参照）。また、便器の後方で可倒的に支持された手摺りを備えたトイレ構造が考案されている（特許文献２参照）。
【先行技術文献】
【特許文献】
【０００３】
【特許文献１】特許第４３８０８９９号公報
【特許文献２】特開２００５−２４５５００号公報
【発明の概要】
【発明が解決しようとする課題】
【０００４】
ところで、着座式の便器で用を足す場合、着座状態の前後で服を着脱する必要がある。このような動作は、特に脚力が落ちてきた高齢者にとって負担である。そのため、このような高齢者は、着座姿勢で服の着脱をする際に、片手を便座の縁部において体を支えながら、臀部を左右交互に浮かせて服を着脱することがある。しかしながら、便座の縁部に置いた手を滑らしてバランスを崩し、便座から転落する恐れがあり、何らかの対策の必要性がある。
【０００５】
本発明はこうした状況に鑑みてなされており、その目的とするところは、便器で用を足す際の着座姿勢での服の着脱を容易にする新たな技術を提供することにある。
【課題を解決するための手段】
【０００６】
上記課題を解決するために、本発明のある態様の身体保持具は、便座に着座した使用者の胴体を保持する身体保持具であって、使用者の胴体の側部と当接する一対の面状の保持部と、便座の上方の所定範囲で保持部を支持する支持部と、を備える。支持部は、保持部と便座との間の領域で使用者の動きを妨げないように構成されている。
【０００７】
この態様によると、使用者は、胴体の側部が保持部で保持された状態で服の着脱ができる。また、使用者の動きを妨げないような位置に支持部がある。そのため、服の着脱が容易となる。
【０００８】
一対の面状の保持部の間に使用者の背中を面で保持する背あて部を更に備えてもよい。これにより、服の着脱時の使用者の姿勢がより安定する。
【０００９】
一対の面状の保持部と背あて部とを連結する連結部を更に備えてもよい。連結部は、可撓部材で構成されていてもよい。これにより、使用者の身体的な大きさや形状のバラツキを吸収しながら胴体の側部をより確実に保持できる。
【００１０】
本発明の別の態様は、身体保持具付きトイレ装置である。このトイレ装置は、便器本体と、便器本体の上に設けられた便座と、便座の上方に配置された上述の身体保持具と、を備えている。また、上面視において、身体保持具の保持部の使用者と当接する面は、便座の幅方向外縁よりも内側に配置されている。
【００１１】
この態様によると、使用者は、便座に着座した後であっても、胴体の側部が保持部で保持された状態で服の着脱ができる。
【００１２】
身体保持具は、保持部の前方側の端部が便座の前方側の端部よりも後方側に位置するように配置されていてもよい。これにより、服の着脱の際に使用者が便座の一部に手を置きやすくなる。
【００１３】
保持部は、前後方向の長さが２００〜３００ｍｍであってもよい。
【００１４】
支持部は、保持部の上下方向の調整が可能なように構成されていてもよい。保持部は、上下方向の幅が１００〜２００ｍｍであってもよい。これにより、身体的特徴が異なる様々な使用者に対応できる。
【発明の効果】
【００１５】
本発明によれば、着座式便器で用を足す際の服の着脱を容易にできる。
【図面の簡単な説明】
【００１６】
【図１】第１の実施の形態に係る身体保持具付きトイレ装置の模式的に示した斜視図である。
【図２】第２の実施の形態に係る身体保持具付きトイレ装置の模式的に示した斜視図である。
【図３】第３の実施の形態に係る身体保持具付きトイレ装置の模式的に示した斜視図である。
【図４】身体保持具を用いた服の着脱を説明するための模式図である。
【図５】第２の実施の形態に係る身体保持具の変形例を示す斜視図である。
【図６】他の変形例に係る身体保持具を示す斜視図である。
【図７】便座上方での身体保持具の位置を説明するための上面図である。
【発明を実施するための形態】
【００１７】
以下、図面を参照しながら、本発明を実施するための最良の形態について詳細に説明する。なお、図面の説明において同一の要素には同一の符号を付し、重複する説明を適宜省略する。
【００１８】
（第１の実施の形態）
図１は、第１の実施の形態に係る身体保持具付きトイレ装置の模式的に示した斜視図である。
【００１９】
図１に示す身体保持具付きトイレ装置（以下、「トイレ装置」と称する。）１０は、便器本体と１２と、便座１４と、便座１４の上方に配置された身体保持具１６と、を備えている。身体保持具１６は、便座１４に着座した使用者の胴体を保持するためのものであり、一対の面状の保持部１８ａ，１８ｂと、支持部２０ａ，２０ｂとを備える。
【００２０】
保持部１８ａ，１８ｂは、便座１４の上面から離間して設けられ、また、便座１４の後方から前方へ延びるように設けられ、使用者の胴体（体幹）の側部と当接するものである。また、支持部２０ａ，２０ｂは、便座１４の上方の所定範囲で保持部１８ａ，１８ｂを支持する。本実施の形態に係る支持部２０ａ，２０ｂは、トイレ制御装置を収容する化粧部材や壁面（以下、「壁面等」と称する。）から前方へ向かって突き出した複数の棒状部材であり、その先端に保持部１８ａ，１８ｂが固定されている。これにより、保持部１８ａ，１８ｂと便座１４との間には開放空間Ｒ１が形成されるため、従来の支持部材のように着座状態の使用者の動きが妨げられるといった状況が改善される。なお、一対の面状の保持部１８ａ，１８ｂの間の空間に使用者の背中を面で保持する背あて部を設けてもよい。
【００２１】
（第２の実施の形態）
図２は、第２の実施の形態に係る身体保持具付きトイレ装置の模式的に示した斜視図である。第２の実施の形態に係るトイレ装置２２は、第１の実施の形態に係るトイレ装置１０と比較して、身体保持具２４の一部の形状が異なる以外は同様の構成である。
【００２２】
身体保持具２４は、略コの字状の部材であり、一対の面状の保持部２６ａ，２６ｂと、一対の面状の保持部２６ａ，２６ｂの後端同士を連結した背あて部２８と、壁面等と背あて部２８とを連結する支持部３０と、を備える。このように背あて部２８があることで、服の着脱時の使用者の姿勢がより安定する。支持部３０は、背あて部２８を介して一対の面状の保持部２６ａ，２６ｂを支持する。
【００２３】
保持部２６ａ，２６ｂは、前後方向の長さＢが２００〜３００ｍｍであってもよい。また、保持部２６ａ，２６ｂは、上下方向の幅Ｃが１００〜２００ｍｍであってもよい。なお、支持部３０は、保持部２６ａ，２６ｂの上下方向の調整が可能なように構成されていてもよい。これにより、身体的特徴が異なる様々な使用者に対応できる。
【００２４】
なお、図１、図２では、便器本体１２と便座１４とを一体的に描いているが、もちろん別体の場合も本発明を適用できる。
【００２５】
（第３の実施の形態）
図３は、第３の実施の形態に係る身体保持具付きトイレ装置の模式的に示した斜視図である。第３の実施の形態に係るトイレ装置３２は、第２の実施の形態に係るトイレ装置２２と比較して、身体保持具２４が壁面等ではなく便座本体と一体的に設けられたタンク３４に固定されている以外は同様の構成である。
【００２６】
（身体保持具を用いた服の着脱）
次に、便座に着座した状態での服の着脱について説明する。図４は、身体保持具を用いた服の着脱を説明するための模式図である。図４では、図３に示すトイレ装置３２の便座１４に使用者が着座した状態を正面から見た場合を示している。
【００２７】
一対の面状の保持部２６ａ，２６ｂの間で便座１４に着座した使用者１００は、図の右側にある保持部２６ｂで胴体の左側部が保持された状態で、左手を便座１４の縁部１４ａに置き、臀部右側１０２を浮かせて右手で着衣をずらす。次に、図の左側にある保持部２６ａで胴体の右側部が保持された状態で、右手を便座の縁部１４ｂに置き、臀部左側１０４を浮かせて左手で着衣をずらす。これを繰り返すことで、使用者は、便座に着座した後であっても、常に胴体の側部が保持部で保持された状態で服の着脱ができるため、便座から転落する恐れもない。また、使用者の動きを妨げないような位置に支持部（図３の支持部３０参照）があるため、服の着脱が容易となる。
【００２８】
（身体保持具）
次に、身体保持具の変形例について説明する。図５は、第２の実施の形態に係る身体保持具の変形例を示す斜視図である。
【００２９】
図５に示す、身体保持具３６は、一対の面状の保持部２６ａ，２６ｂと背あて部２８とを連結する連結部３８ａ，３８ｂを備えている。連結部は、バネやゴムなどの可撓部材（弾性部材）で構成されている。これにより、使用者の身体的な大きさや形状のバラツキを吸収しながら胴体の側部をより確実に保持できる。
【００３０】
図６は、他の変形例に係る身体保持具を示す斜視図である。身体保持具４０は、背あて部４２が背中の形状に沿った曲面を有している。また、連結部３８ａ，３８ｂにより保持部２６ａ，２６ｂが変位できるように構成されている。なお、連結部３８ａ，３８ｂに加えて、または代わりに保持部２６ａ，２６ｂ自体を弾性材料で構成してもよい。
【００３１】
図７は、便座上方での身体保持具の位置を説明するための上面図である。なお、図７では、図６で説明した身体保持具４０を例に説明する。
【００３２】
図７に示すトイレ装置４４は、便座１４の上方に身体保持具４０が配置されている。保持部２６ａ，２６ｂの使用者と当接する内側面２６ａ１，２６ｂ１は、便座１４の幅方向外縁の間の範囲Ａ’（４００ｍｍ前後）の内側に位置する。つまり、内側面２６ａ１，２６ｂ１の間隔Ａは、範囲Ａ’より小さい。このように、保持部２６ａ，２６ｂが、より胴体の側部に近い面で支えることで、使用者を安定して保持し、転落の可能性を低減できる。
【００３３】
また、身体保持具４０は、保持部２６ａ，２６ｂの前方側の端部２６ａ２，２６ｂ２が便座１４の前方側の端部１４ｃよりも後方側に位置するように配置されている。これにより、服の着脱の際に使用者が便座の一部（領域Ｒ２，Ｒ３）に手を置きやすくなる。
【符号の説明】
【００３４】
１０  トイレ装置、  １２  便器本体、  １４  便座、  １４ａ，１４ｂ  縁部、  １４ｃ  端部、  １６  身体保持具、  １８ａ  保持部、  ２０ａ  支持部、  ２２  トイレ装置、  ２４  身体保持具、  ２６ａ，２６ｂ  保持部、  ２８  背あて部、  ３０  支持部、  ３２  トイレ装置、  ３６  身体保持具、  ３８ａ  連結部、  １００  使用者。
【図１】
2015181547.tif 000003
【図２】
2015181547.tif 000004
【図３】
2015181547.tif 000005
【図４】
2015181547.tif 000006
【図５】
2015181547.tif 000007
【図６】
2015181547.tif 000008
【図７】
2015181547.tif 000009